(57)【要約】【課題】  構成が簡単で部品点数が少なく、小型化に適したものとすること。【解決手段】  このレンズ駆動装置１は、レンズを備えた移動体１０と、この移動体１０をレンズ１４の光軸１１方向に移動させると共に、移動体１０を保持する固定体２４とを有する。そして、移動体１０は、駆動マグネット１６および第１、第２駆動コイル２８，３０のどちらか一方を備え、固定体２４は、駆動マグネット１６および第１、第２駆動コイル２８，３０のどちらか他方を備え、駆動マグネット１６と第１、第２駆動コイル２８，３０とは、互いの磁気吸引力または磁気反発力によって移動体１０を移動可能に、光軸１１方向に配設されている。【選択図】          図１
2005037865.tif 000002
【特許請求の範囲】
【請求項１】
レンズを備えた移動体と、この移動体をレンズの光軸方向に移動させると共に、上記移動体を保持する固定体とを有するレンズ駆動装置において、
上記移動体は、駆動マグネットおよび駆動コイルのどちらか一方を備え、上記固定体は、上記駆動マグネットおよび上記駆動コイルのどちらか他方を備え、上記駆動マグネットと上記駆動コイルとは、互いの磁気吸引力または磁気反発力によって上記移動体を移動可能に、光軸方向に配設したことを特徴とするレンズ駆動装置。
【請求項２】
前記駆動コイルは、前記光軸の周りにこの光軸を囲むようにして巻回され、前記駆動マグネットは、中央に孔を有するリング形状とされ、その孔を囲む部分がＮＳ極の一方の極に、その外周部分がＮＳ極の他方の極にそれぞれ単極着磁されていることを特徴とする請求項１記載のレンズ駆動装置。
【請求項３】
前記コイルへの通電を停止したとき、前記移動体を前記固定体に対して所定位置に位置保持させる位置保持手段を有することを特徴とする請求項１記載のレンズ駆動装置。
【請求項４】
前記位置保持手段は、磁気吸引力により位置保持させる磁気的手段であることを特徴とする請求項３記載のレンズ駆動装置。
【請求項５】
レンズを備えた移動体と、この移動体をレンズの光軸方向に移動させると共に、上記移動体を保持する固定体とを有するレンズ駆動装置において、
上記移動体は、上記レンズと共に光軸方向に移動可能な駆動マグネットを備え、
上記固定体は、上記駆動マグネットと磁気回路を構成すると共に、上記レンズの光軸方向に配置された第１駆動コイルおよび第２駆動コイルと、この第１駆動コイルおよび第２駆動コイルに対向配置された第１磁性片および第２磁性片とを備え、
上記第１駆動コイルまたは上記第２駆動コイルへの通電を停止したときに上記駆動マグネットと上記第１磁性片または上記第２磁性片との磁気吸着により上記移動体を所定の位置に保持し、上記第１駆動コイルまたは上記第２駆動コイルへの通電によって上記移動体を上記第１駆動コイルと上記第２駆動コイルとの間で移動させることを特徴とするレンズ駆動装置。
【請求項６】
前記第１駆動コイルと前記第２駆動コイルの間に前記駆動マグネットが配置されていることを特徴とする請求項５記載のレンズ駆動装置。
【請求項７】
前記移動体は、前記レンズを保持する円筒状の鏡筒を有し、この鏡筒の外周に円環状の前記駆動マグネットが一体に固着されていることを特徴とする請求項５記載のレンズ駆動装置。
【請求項８】
レンズを備えた移動体と、この移動体をレンズの光軸方向に移動させると共に、上記移動体を保持する固定体とを有するレンズ駆動装置において、
上記移動体は、上記レンズと共に光軸方向に移動可能な駆動コイルと磁性片を備え、
上記固定体は、上記駆動コイルを挟んで上記レンズの光軸方向に配置された第１駆動マグネットおよび第２駆動マグネットとを備えると共に、上記駆動マグネットと磁気回路を構成し、
上記駆動コイルへの通電を停止したときに上記第１駆動マグネットと上記第２駆動マグネットの一方と上記磁性片との磁気吸着により上記移動体を所定の位置に保持し、上記駆動コイルへの通電によって上記移動体を上記第１駆動マグネットと上記第２駆動マグネットとの間で移動させることを特徴とするレンズ駆動装置。
【請求項９】
被写体からの光を通過させると共に前記移動体の前方への移動を阻止する緩衝材を有する部材が前記固定体の一部として、その前方に固定配置されていることを特徴とする請求項１記載のレンズ駆動装置。
【請求項１０】
請求項１から９のいずれか１項記載のレンズ駆動装置をカメラ部分に配置したことを特徴とするカメラ付き携帯機器。
【請求項１１】
請求項１から８のいずれか１項記載のレンズ駆動装置と、
被写体からの光を通過させると共に被写体側からのゴミの侵入を防止するため上記レンズ駆動装置の対物側に固定配置されたカバーと、
上記レンズ駆動装置中のレンズを挟んで上記カバーとは光軸方向の反対側に固定配置された撮像素子と、
を有し、上記カバーの表面が外部に露出するように配置されると共に上記撮像素子に接続される基板を上記レンズ駆動装置の後方であってその径内に納まるように配置したことを特徴とするカメラ付き携帯機器。
【発明の詳細な説明】
【技術分野】
【０００１】
本発明は、カメラ付き携帯電話のカメラなど、比較的小型のカメラに用いられる撮影レンズの駆動装置およびカメラ付き携帯機器に関する。
【背景技術】
【０００２】
カメラが搭載された携帯電話では、片手で携帯電話を持って自己の顔やその他の近接位置となる被写体を撮影する場合が多い。このため、この種のカメラに用いられる撮影レンズ系は、接写撮影機能を保有しているものが多い。このような接写撮影機能を有する撮影レンズ系の場合、通常の撮影を行うときのレンズ位置と接写撮影すなわちマクロ撮影を行うときのレンズ位置が異なるものとなる。すなわち、接写撮影時のレンズ位置は、通常撮影時のレンズ位置よりも僅かに一定の距離だけ被写体側に近づけた位置になる。
【０００３】
このため、この種の撮影レンズ系では、レンズ位置を通常の撮影位置とマクロ撮影位置との間で移動させるための駆動源を備え、スイッチの切り換えによって駆動源を駆動し、上述の２点の撮影位置の間をレンズが移動するようになっている。しかし、携帯電話などの携帯機器においては、機器の小型化、軽量化などの理由から、駆動源としてモータを採用することは難しく、電磁力をレンズ駆動に直接利用し、レンズを移動させる形式のレンズ駆動装置が搭載されている。
【０００４】
電磁力で直接レンズを移動させる形式のレンズ駆動装置の例として、レンズを保持する筒状のケースと、このケースの外周に取り付けたリング状の駆動マグネットと、駆動マグネットに対向する駆動コイルとを有し、駆動コイルへの通電を制御することにより、レンズを保持するケースを光軸方向に電磁力で駆動すると共に、その位置にケースを磁力で保持する構成のものが提案されている（たとえば、特許文献１，特許文献２参照）。
【０００５】
また、レンズを取り付けたケースを光軸の周りに回転させながらケースを光軸方向に移動させるように構成したレンズ駆動装置も提案されている（たとえば、特許文献３参照）。
【０００６】
さらに別の従来例として、コイルが巻かれた可動部を軸に揺動自在に取り付け、その可動部を、軸方向両側からマグネットとヨークで挟むように対向させて配置し、コイルとマグネットとの間に生じ、かつ対向面に平行な方向に生じる電磁的推力によって可動部を、上述した軸を中心に揺動させ、この揺動をカム機構によってレンズ系の直線移動に変換するように構成したカメラ用電磁アクチュエータが提案されている（たとえば、特許文献４参照）。
【０００７】
【特許文献１】特開２０００−１８７８６２号公報（要約）
【特許文献２】特開平１０−１５０７５９号公報（要約）
【特許文献３】特開平４−２２２４４４号公報（要約）
【特許文献４】特開２００１−９１９８１号公報（要約）
【発明の開示】
【発明が解決しようとする課題】
【０００８】
従来のレンズ駆動装置のうち、特許文献１および２記載のもの、すなわち、レンズを保持するケースを光軸方向に磁気駆動し、そこに磁気的に保持するタイプのものでは、レンズを長い時間所定の位置に保持しようとすると、保持している間も駆動コイルに通電する必要がある。そのため、消費電力が多くなり、もともと電源電池容量に制限がある携帯電話などに搭載するには適していないという問題点がある。
【０００９】
これに対して特許文献３に記載されているものは、ケースを光軸の周りに回転させながらケースを回転軸線方向すなわち光軸方向に移動させる形式のレンズ駆動装置であるため、ケースを所定の移動位置に保持させるのに電磁力を必要としないから、消費電力が少ない利点がある。しかしながら、回転力を直線移動に変換するため機構が複雑になり、かつ、部品点数が多くなり、携帯電話などの携帯機器に搭載するには適していないという問題点がある。
【００１０】
また、特許文献４に記載されているカメラ用電磁アクチュエータは、可動部を電磁力によって揺動させる機構と、この揺動を直線移動に変換するカム機構を備える必要があるため、機構が複雑で部品点数が多くなると共に、これらの機構がレンズ系の外方に広がり、小型化しづらく、携帯電話などの携帯機器に搭載するには適していないという問題点がある。
【００１１】
本発明は、以上のような従来技術の問題点を解消するためになされたもので、構成が簡単で部品点数が少なく、小型化に適したレンズ駆動装置およびカメラ付き携帯機器を提供することを目的とする。また他の発明は、上述の目的に加えて、レンズ等を所定の位置に保持するのに電力を供給する必要がなく、消費電力を少なくしたレンズ駆動装置およびカメラ付き携帯機器を提供することを目的とする。
【課題を解決するための手段】
【００１２】
上述の目的を達成するため、本発明は、レンズを備えた移動体と、この移動体をレンズ光軸方向に移動させると共に、移動体を保持する固定体とを有するレンズ駆動装置において、移動体は、駆動マグネットおよび駆動コイルのどちらか一方を備え、固定体は、駆動マグネットおよび駆動コイルのどちらか他方を備え、駆動マグネットと駆動コイルとは、互いの磁気吸引力または磁気反発力によって移動体を移動可能に、光軸方向に配設している。
【００１３】
この発明では、レンズ駆動装置の構成が簡単となり、部品点数を少なくでき、小型化に適したものとなる。しかも、駆動マグネットと駆動コイルとが、光軸方向に配設されているため、径方向への小型化を一層図ることができる。
【００１４】
また、上述の発明のレンズ駆動装置に加え、駆動コイルは、レンズ光軸の周りにこのレンズ光軸を囲むようにして巻回され、駆動マグネットは、中央に孔を有するリング形状とされ、その孔を囲む部分がＮＳ極の一方の極に、その外周部分がＮＳ極の他方の極にそれぞれ単極着磁されている。この構成を採用することで、駆動マグネットのレンズ光軸方向上下の対応する位置に駆動コイルを配置でき、一層の小型化や構成の簡単化が達成される。
【００１５】
また、他の発明は、上述の発明のレンズ駆動装置に加え、コイルへの通電を停止したとき、移動体を固定体に対して所定位置に位置保持させる位置保持手段を有している。この発明では、レンズを所定の位置に保持する際に電力を供給する必要がなくなり、消費電力を少なくすることができる。
【００１６】
さらに、位置保持手段は、磁気吸引力により位置保持させる磁気的手段であるのが好ましい。この構成を採用すると、位置保持手段を簡易な構成とすることができ、また低価格化も容易に達成することができる。
【００１７】
また、本発明のレンズ駆動装置は、レンズを備えた移動体と、この移動体をレンズの光軸方向に移動させると共に、移動体を保持する固定体とを有するレンズ駆動装置において、移動体はレンズと共に光軸方向に移動可能な駆動マグネットを備え、固定体は、駆動マグネットと磁気回路を構成すると共に、レンズの光軸方向に配置された第１駆動コイルおよび第２駆動コイルと、この第１駆動コイルおよび第２駆動コイルに対向配置された第１磁性片および第２磁性片とを備え、第１駆動コイルまたは上記第２駆動コイルへの通電を停止したときに駆動マグネットと第１磁性片または第２磁性片との磁気吸着により移動体を所定の位置に保持し、第１駆動コイルまたは第２駆動コイルへの通電によって移動体を第１駆動コイルと第２駆動コイルとの間で移動させている。
【００１８】
この発明によれば、第１駆動コイルと第２駆動コイルの少なくとも一方に所定の向きに通電すると、移動体がレンズと共に光軸方向の一定方向に移動し、第１駆動コイルと第２駆動コイルの少なくとも片方に逆向きに通電すると、移動体がレンズと共に光軸方向の逆方向に移動する。このようにこのレンズ駆動装置では、構成が簡単となり部品点数を少なくでき、小型化に適したものとなる。加えて、移動体のそれぞれの移動位置では、駆動マグネットと第１磁性片または第２磁性片との磁気吸引力によってそれぞれの位置が保持される。この位置保持の間は駆動コイルへの通電は不要であるから、消費電力を低く抑えることができる。
【００１９】
また他の発明は、上述の発明に加え、第１駆動コイルと第２駆動コイルの間に駆動マグネットが配置されている。この構成によって光軸方向に移動する移動体の構成を簡易なものとすることができると共に固定体側の配置構造も簡易なものとすることができる。
【００２０】
さらに、他の発明は上述の発明に加え、移動体は、レンズを保持する円筒状の鏡筒を有し、この鏡筒の外周に円環状の駆動マグネットが一体に固着されているものとしている。この発明によれば、駆動マグネットの形状が単純化されると共に移動体自体の構造も簡易化される。
【００２１】
また、他の発明は、レンズを備えた移動体と、この移動体をレンズの光軸方向に移動させると共に、移動体を保持する固定体とを有するレンズ駆動装置において移動体は、レンズと共に光軸方向に移動可能な駆動コイルと磁性片を備え、固定体は、駆動コイルを挟んでレンズの光軸方向に配置された第１駆動マグネットおよび第２駆動マグネットとを備えると共に、駆動マグネットと磁気回路を構成し、駆動コイルへの通電を停止したときに第１駆動マグネットと第２駆動マグネットの一方と磁性片との磁気吸着により移動体を所定の位置に保持し、駆動コイルへの通電によって移動体を第１駆動マグネットと第２駆動マグネットとの間で移動させている。
【００２２】
この発明によれば、構成が簡単となり、部品点数を少なくでき、小型化に適したものとなる。その動作としては、駆動コイルへの通電方向によって移動体の移動方向が互いに逆方向になる。移動体の一方の移動位置と他方の移動位置では、第１駆動マグネットまたは第２駆動マグネットと磁性片との磁気吸引力によってそれぞれの位置が保持される。この位置保持の間は駆動コイルへの通電は不要であるから、消費電力を低く抑えることができる。
【００２３】
また、被写体からの光を通過させると共に移動体の前方への移動を阻止する緩衝材を有する部材が固定体の一部として、その前方に固定配置されるのが好ましい。この構成を採用すると、被写体側からゴミやチリ等がレンズ駆動装置内部に侵入するのを簡単な構成で防止することができる。また、移動体の前方への移動を衝撃を与えることなく阻止することができる。
【００２４】
また、本発明のカメラ付き携帯機器は、請求項１から９のいずれか１項記載のレンズ駆動装置をカメラ部分に配置している。
【００２５】
このカメラ付き携帯機器は、レンズ駆動装置部分の構成が簡単となり、部品点数が少なくなっているため、カメラ部分の組み立てが容易となり、組み立て効率が向上する。しかもレンズ駆動装置が小型化に適したものとなっているため、カメラ部分が小型化され、携帯機器にとっては、全体を軽量化できることとなると共に、カメラ以外の部分に本来の機能を十分積載することができ、高機能化を達成しやすいものとなる。
【００２６】
また、他の発明のカメラ付き携帯機器は、請求項１から８のいずれか１項記載のレンズ駆動装置と、被写体からの光を通過させると共に被写体側からのゴミの侵入を防止するためレンズ駆動装置の対物側に固定配置されたカバーと、レンズ駆動装置中のレンズを挟んでカバーとは光軸方向の反対側に固定配置された撮像素子と、を有し、カバーの表面が外部に露出するように配置されると共に撮像素子に接続される基板をレンズ駆動装置の後方であってその径内に納まるように配置している。
【００２７】
このカメラ付き携帯機器は、ゴミやチリの侵入防止の面で有利となり、また携帯機器に組み込み易いものとなる。また、このカメラ付き携帯機器は、レンズ駆動装置部分の構成が簡単となり、部品点数が少なくなっているため、カメラ部分の組み立てが容易となり、組み立て効率が向上する。しかもレンズ駆動装置が小型化に適したものとなっているため、カメラ部分が小型化され、携帯機器にとっては、全体を軽量化できることとなると共に、カメラ以外の部分に本来の機能を十分積載することができ、高機能化を達成しやすいものとなる。
【発明の効果】
【００２８】
本発明によれば、移動体はレンズと共に光軸方向に移動する単純な機構であるため、構成が簡単で部品点数が少なく、小型化に適したレンズ駆動装置およびカメラ付き携帯機器を得ることができる。また、他の発明によれば、上述の効果に加えて、所定のレンズ位置に保持するのに電力を供給する必要がなく、駆動マグネットと磁性片との磁気的吸引力によってレンズ位置が保持されるため、消費電力が少なくなり、携帯機器に搭載するカメラに適したレンズ駆動装置およびカメラ付き携帯機器を得ることができる。
【発明を実施するための最良の形態】
【００２９】
以下、図面を参照しながら本発明にかかるレンズ駆動装置およびカメラ付き携帯機器の実施の形態について説明する。各実施の形態は、携帯電話のような携帯機器のカメラ部分として搭載するのに適した構成となっているが、ＰＤＡ（Personal Degital Assistance)等他の携帯機器に搭載するようにしても良い。
【００３０】
図１に示す第１の実施の形態のレンズ駆動装置１は、移動体１０と、固定体２４から主に構成されている。移動体１０は、光軸１１がその中心に位置することとなる略円筒形状の鏡筒１２を有していて、鏡筒１２の内部にレンズ１４が備えられている。レンズ１４は、カメラの撮影レンズで、複数枚のレンズが組み合わせられることによって構成されている。図１の上側が被写体側レンズ１４ａで、下側がカメラボディ側レンズ１４ｂである。
【００３１】
鏡筒１２の外周は、前側が大径に、後側が小径に形成されてその境界に段部が形成されている。後側の小径部には、リング状に形成された駆動マグネット１６が嵌められ、駆動マグネット１６は上述した段部に当接された状態で鏡筒１２に一体に固着されている。駆動マグネット１６は、あたかも鏡筒１２の鍔部であるかのように鏡筒１２の外周面から外方に突出している。
【００３２】
鏡筒１２の前端部、すなわち被写体側の端部には、被写体からの反射光をレンズ１４に取り込む円形の入射窓１８が前端面２０の中央に形成されている。入射窓１８の前方には、レンズ保持用の開閉自在のバリヤが設けられるが、図示は省略されている。
【００３３】
鏡筒１２は、固定体２４内に挿入されている。固定体２４も略円筒形状に形成されていて、その後端部内周２５に鏡筒１２の後端部２２の外周が、固定体２４の後端部内周２５をガイドとしてレンズ１４の光軸１１方向に移動可能に嵌められている。奥側、すなわちカメラボディ側への鏡筒１２の移動限界は、鏡筒１２の後端面が、固定体２４を形成する筒部２６の後端に内向きに形成された突出縁２７に当接することによってその位置が決められるようになっている。図１は、鏡筒１２が最も奥側へ移動した状態を示している。
【００３４】
鏡筒１２と一体動作する駆動マグネット１６は、筒部２６の後端部内周２５の前側であってこの後端部内周２５よりもその内径が大径に形成された筒部２６の内周にわずかな隙間をもって対向するように設置されている。また、駆動マグネット１６は、筒部２６に対し光軸１１の方向に相対移動可能に納められている。また、固定体２４の内周には、駆動マグネット１６よりも奥側に、その駆動マグネット１６に対向するようにリング状に巻かれた第１駆動コイル２８が配置され、この第１駆動コイル２８に対して駆動マグネット１６を挟むようにして第２駆動コイル３０が配置されている。
【００３５】
第１駆動コイル２８の奥側にリング状の第１磁性片３２が嵌められ、この第１磁性片３２と第１駆動コイル２８は、共に固定体２４の筒部２６に接着等によって固定されている。上述したように、第１駆動コイル２８の前端面と駆動マグネット１６の後端面は対向している。
【００３６】
固定体２４の前端部内周には、駆動マグネット１６よりも前側位置に、上述したように、リング状の円形に巻回された第２駆動コイル３０が嵌められ、さらにこの第２駆動コイル３０に重ねてリング状の第２磁性片３４が嵌められて固定体２４の筒部２６に接着等によって固定されている。駆動マグネット１６の前端面と第２駆動コイル３０の後端面が対向している。したがって、駆動マグネット１６を挟んで光軸１１の方向に並んだ第１駆動コイル２８と第２駆動コイル３０の光軸方向外端面にそれぞれ第１磁性片３２および第２磁性片３４が配置されていて、駆動マグネット１６は第１、第２駆動コイル２８、３０で光軸１１の方向に挟まれる構成となる。
【００３７】
第１、第２磁性片３２，３４は、座金状の強磁性体、たとえば鋼板からなる。駆動マグネット１６から出た磁束は、第１駆動コイル２８や第１磁性片３２をその中心側から外周側に通過し駆動マグネット１６に戻る。また、駆動マグネット１６からの磁束は、第２磁性片３４や第２駆動コイル３０をその中心側から外周側にとおり、駆動マグネット１６に至るようになっていて、これらの部材によって磁気回路が構成されている。したがって、駆動マグネット１６によって形成される磁界中に第１、第２駆動コイル２８，３０が位置している。
【００３８】
第１、第２駆動コイル２８，３０の対向面間距離は、駆動マグネット１６の光軸１１の方向の厚さよりも大きく、駆動マグネット１６と第１駆動コイル２８または第２駆動コイル３０との間には光軸１１の方向の間隙が生じていて、この間隙の範囲内で駆動マグネット１６が、したがって駆動マグネット１６と一体の鏡筒１２が光軸１１の方向に移動することができる。
【００３９】
図１に示す態様では、駆動マグネット１６が鏡筒１２と共に奥側に移動し、第１、第２駆動コイル２８，３０に通電されなくても、駆動マグネット１６と第１磁性体３２との間に生じる磁気吸引力によって移動した位置に保持されている。このときのレンズ１４の位置は、通常の撮影位置（以下、通常撮影位置という。）となっている。このとき、図１に示すように、第１駆動コイル２８と駆動マグネット１６との間にわずかな隙間が生じている。これは第１駆動コイル２８と駆動マグネット１６とが衝突すると、いずれか一方または両者が損傷してしまうためであり、その衝突を防止しているのである。
【００４０】
図１に示す状態において、所定のマクロ切り換えスイッチ（図示されず）が操作されると、第１、第２駆動コイル２８，３０の少なくとも一方に、所定の向きに通電され、この電流の向きと駆動マグネット１６による磁界の向きとによって、フレミングの左手の法則により駆動マグネット１６を前方に押し出す向きの電磁力が働き、駆動マグネット１６と共に鏡筒１２が前方に進出する。この進出量は、駆動マグネット１６と第１、第２駆動コイル２８，３０との間に生じる上述した間隙の範囲内である。鏡筒１２と共にレンズ１４が前方に進出してマクロ撮影が可能となる。なお、フレミングの左手の法則は、磁界中に線電流が流れているときに、その線電流を流している物体に働く力の関係を示すものであるが、この実施の形態では、第１、第２駆動コイル２８，３０が共に固定されているため反作用として駆動マグネット１６に力が働くこととなる。
【００４１】
鏡筒１２が前方に進出すると、その前端面２０が後述する緩衝材３６に衝突することで、その前方進出が阻止される。この前方に進出したレンズ１４の位置は、第１、第２駆動コイル２８，３０に通電されなくても、駆動マグネット１６と第２磁性体３４との間に生じる磁気吸引力によって保持される。このときも、第２駆動コイル３０と駆動マグネット１６との間にはわずかな隙間を発生させている。これも第２駆動コイル３０と駆動マグネット１６とが衝突し、それらが損傷することを防止するためである。
【００４２】
前方への移動の際に生ずる電磁力は、第１駆動コイル２８への通電では駆動マグネット１６を前方側に移動させる向きに発生させ、第２駆動コイル３０への通電でも駆動マグネット１６を前方側に移動させる向きに発生させる。第１、第２駆動コイル２８，３０の両方に同時に通電してもよいし、いずれか一方に通電しても良い。
【００４３】
上述した電磁力で鏡筒１２が前方に進出する際に衝撃力が発生しないように、鏡筒１２の前端面２０に対向する固定体２４の面に板ばねなどからなる緩衝材３６が固着されている。この緩衝材３６は、固定体２４を構成する円形の皿状のカバー４２の移動体１０と対向する面に複数の突起として形成されている。カバー４２は、被写体からの光をレンズ１４側に通過させると共に、レンズ１４側に外部のゴミやチリが入り込まないようにしているもので、固定体２４の筒部２６に嵌合し、接着剤等で筒部２６に固定されている。
【００４４】
レンズ駆動装置１の光軸１１に沿った奥側には、後述する台座部４７に固定された後端部材４６にフィルタ４３が配置され、さらにその奥に撮像素子４４が固定配置されている。フィルタ４３は、撮像素子４４の検出波長に対応させて所定の波長の光をカットするためのものである。撮像素子４４はＣＭＯＳ(Complementary Metal Oxide Semiconductor)で構成されており、その検知信号を回路基板４５へ送る。検知信号となる画像信号は、回路基板４５を介して図示しない制御部（マイクロコンピュータ等で構成されている）へ送られる。
【００４５】
なお、回路基板４５の外径は、固定体２４を構成する筒部２６の直径より小さくされ、筒部２６の外へはみ出さないようにされている。なお、撮像素子４４としては、ＣＭＯＳ以外にＣＣＤやＶＭＩＳ等を採用することができる。
【００４６】
マクロ撮影位置から通常撮影位置に切り換えるには、切り換えスイッチを通常撮影位置に切り換える。この切り換えによって、第１、第２駆動コイル２８，３０の少なくとも一方に逆向きに通電され、この電流の向きと駆動マグネット１６による磁界の向きとによって、フレミングの左手の法則により駆動マグネット１６を後方に引き戻す向きの電磁力が働き、駆動マグネット１６と共に鏡筒１２が後退して、図１に示す通常撮影位置となる。
【００４７】
ちなみに、図１に示す第１の実施形態の寸法データの例を示すと、固定体２４の筒部２６の外径は１０．５ｍｍ、筒部２６の高さは５．５ｍｍ、鏡筒１２の移動ストロークは０．２ｍｍ程度とすることができる。また、両レンズ１４ａ，１４ｂを図１に示すように非球面レンズとし、かつ樹脂レンズとするのが好ましい。さらに、マクロ撮影と通常撮影との切り換えのために第１駆動コイル２８や第２駆動コイル３０へ電流を流す駆動時間は最小で５msecとなっている。
【００４８】
この第１の実施の形態のレンズ駆動装置１では、固定体２４の枠を構成する部材として、筒部２６とカバー４２とが存在することを述べたが、この筒部２６は、フィルタ４３や撮像素子４４を保持する後端部材４６を嵌合保持する台座部４７に接着剤等で固定されている。このため、この実施の形態では、後端部材４６や台座部４７も固定体２４の一部を形成している。
【００４９】
図１に示す第１の実施の形態では、可動側に駆動マグネット１６を、固定側に第１、第２駆動コイル２８，３０を配置したムービングマグネット型の構成となっているが、可動側に駆動コイルを、固定側に駆動マグネットを配置したムービングコイル型としても良い。
【００５０】
たとえば、移動体１０は、レンズ１４と共に光軸１１の方向に移動可能な駆動コイルと磁性片を備え、固定体２４は、上記駆動コイルを挟んでレンズ１４の光軸１１の方向に配置された第１駆動マグネットおよび第２駆動マグネットを備えると共に、上記駆動マグネットと磁気回路を構成し、駆動コイルへの通電を停止したときに第１駆動マグネットと第２駆動マグネットの一方と磁性片との磁気吸着により移動体を所定の位置に保持し、駆動コイルへの通電によって移動体１０を第１駆動マグネットと第２駆動マグネットとの間で移動させるように構成すると良い。移動可能な駆動コイルに通電するために、フレキシブルなリード線を使用する必要があるが、携帯機器に搭載されるカメラに適用されるレンズ駆動装置においては、上述したとおり０．２ｍｍ程度の移動ストロークがあれば足りるので、特殊なリード線を用いる必要はない。
【００５１】
図１に示す第１の実施の形態において、駆動マグネット１６から第１駆動コイル２８や第２駆動コイル３０への磁束の流れは、第１駆動コイル２８と第２駆動コイル３０の部分で駆動マグネット１６の駆動に必要な方向成分になれば良い。したがって、駆動マグネット１６は、これを駆動コイルの内径より内側に配置しても良いし、駆動コイルの外径より外側に配置しても良い。
【００５２】
図２に示す第２の実施の形態に係るレンズ駆動装置１Ａは、駆動マグネット１６を第１、第２駆動コイル２８，３０の内径より内側に配置した例である。駆動マグネット１６は、図１に示す第１の実施の形態のものにおいて半径方向外側の約半分を除去し、第１、第２駆動コイル２８，３０は半径方向内側の約半分を除去した形態になっている。
【００５３】
図３に示す第３の実施の形態に係るレンズ駆動装置１Ｂは、駆動マグネット１６を駆動コイルの外径より外側に配置した例である。図３において、鏡筒１２の外周には、光軸１１方向の略中央に円形状の鍔部１２ａが一体に形成されていて、この鍔部１２ａの外周面に駆動マグネット１６が固定されている。第１駆動コイル２８の外径と駆動マグネット１６の内径は略同一であり、第２駆動コイル３０の内径と外径の幅内に駆動マグネット１６の内径が位置している。
【００５４】
図１に示す第１の実施の形態のように、第１磁性片３２、第２磁性片３４の形状は、平板形状が一般的であるが、駆動マグネット１６との間の吸着力を調整するために、形状を工夫するとよい。また、図１に示す第１の実施の形態のように、レンズ１４が標準側（通常撮影位置）にある場合とマクロ側にある場合の吸引力のバランスを考慮して、第１磁性片３２と第２磁性片３４の形状が同じで、かつ面積も同じにするのが一般的であるが、要求される仕様や、漏洩磁束など磁気回路の影響も考慮して、第１磁性片３２と第２磁性片３４は互いに異なる形状または異なる面積にしても良い。
【００５５】
図４に示す第４の実施の形態に係るレンズ駆動装置１Ｃは、第１磁性片３２，第２磁性片３４の断面形状を「コ」の字形にして第１駆動コイル２８、第２駆動コイル３０に嵌め、「コ」の字の開口部を対向させたものである。
【００５６】
図５に示す第５の実施の形態に係るレンズ駆動装置１Ｄは、第１磁性片３２，第２磁性片３４の断面形状をＬ形にしたものである。
【００５７】
ここまで説明してきた第１から第５の実施形態は、駆動マグネット１６と第１、第２駆動コイル２８，３０を光軸方向に重なるように配置し、駆動マグネット１６を光軸１１の方向に直動させる構成であり、仮に、第１、第２駆動コイル２８，３０のコイルが断線する等して、第１、第２駆動コイル２８，３０が動作しなくなったとしても、カメラを手に持って振るというような、遠心力、慣性力、等々何らかの力を生じさせることによりレンズを移動させ、移動位置ではマグネットと磁性片との間の磁気的吸引力でその位置を保持させるようにすることができる。すなわち、コイル断線や電池量が減少し、電気的制御が行えなくなったとしても、機械的力で、引き続き、レンズ１４の位置を切り替えることができ、使用不能という最悪な事態を避けることができる。
【００５８】
図６に示す第６の実施の形態に係るレンズ駆動装置１Ｅは、図１に示す第１の実施の形態から第１磁性片３２、第２磁性片３４を除去した構造にしたものである。かかる実施の形態によれば、通常撮影位置となる標準側またはマクロ撮影位置となるマクロ側でレンズを保持するために、第１駆動コイル２８や第２駆動コイル３０に電流を流さなければならないという難点がある。しかし、駆動マグネット１６を直線性よく駆動することができるという利点や、レンズ１４を標準位置とマクロ位置の間の途中で停止させることが可能になるため、オートフォーカスやズームなど、別の機能をもたせることが容易になるという利点が生まれる。
【００５９】
次に、第１の実施の形態に係るレンズ駆動装置１の組み立て方法について図１および図７を参照しながら説明する。なお、第２から第６の実施の形態に係るレンズ駆動装置１Ａ〜１Ｅおよび後述する他の実施の形態に係るレンズ駆動装置も略同様な組み立て方法を採用している。
【００６０】
まず、撮像素子４４、回路基板４５およびフィルタ４３等を有する後端部材４６を台座部４７に嵌合固定する。一方、固定体２４の筒部２６に第１磁性片３２を入れ固定する。次に、第１駆動コイル２８を第１磁性片３２に重ねて配置し固定する。その後、駆動マグネット１６が固定され、レンズ１４を内部に有する移動体１０を筒部２６に組み込む。
【００６１】
その後、第２駆動コイル３０を筒部２６に入れ固定し、さらに、第２磁性片３４を第２駆動コイル３０に重ねて配置し固定する。次に、カバー４２を筒部２６に嵌合し仮固定する。この状態で、筒部２６を台座部４７に入れ、撮像素子４４とレンズ１４との距離を調節し、レンズ１４が通常撮影位置で適切な画像が得られるようにする。そのような状態となった位置で接着剤を台座部４７と筒部２６との間に挿入し両者を固定する。
【００６２】
次に、カバー４２を光軸１１の方向に前後移動させ、レンズ１４がマクロ撮影位置となるときに適切な撮影が可能となる位置で、カバー４２を固定する。すなわち、鏡筒１２の前端面２０が緩衝材３６に突き当たった状態となるマクロ撮影位置で適切なマクロ画像が得られるように、カバー４２を筒部２６に対して光軸１１方向に前後させ、適切な位置で両者を接着剤等を利用して固定する。なお、緩衝材３６は、図７に示すように、１２０度間隔で３ヶ所に設けるのが好ましい。
【００６３】
次に、本発明の第７の実施の形態に係るレンズ駆動装置１Ｆについて、図８を参照しながら説明する。このレンズ駆動装置１Ｆは、レンズ駆動装置１と基本構成は同じであり、同一部材には同一符号を付し、その詳細説明を省略すると共に異なる点のみを主として説明することとする。
【００６４】
レンズ駆動装置１Ｆは、第１駆動コイル２８と第２駆動コイル３０の間にリング状の第３の磁性片５１を配置することで、駆動マグネット１６を可動途中で停止保持できるようにしたものである。すなわち、３位置のステップ駆動を可能としたものである。具体的な例で示せば、通常撮影位置とマクロ撮影位置の両位置に加え、それらの中間の３ｍ前後での撮影がきれいに行える位置を持たせるようにすることができる。この中間に配置される第３の磁性片５１を１つではなく複数とすることで、４ステップ以上の駆動が可能となる。
【００６５】
なお、このレンズ駆動装置１Ｆでは、上述した各実施の形態と同様に、被写体側レンズ１４ａは枠部５２と一体的に樹脂成型された非球面レンズで、カメラボディ側レンズ１４ｂも枠部５３と一体的に樹脂成型された非球面レンズとされている。また、カバー４２と筒部２６とは接着材５４によって固定され、筒部２６と台座部４７とは、接着剤５５によって固定されている。
【００６６】
また、他の実施の形態と同様に、鏡筒１２の外周と第２駆動コイル３０および第２磁性片３４の各内周との間には隙間ｇ１が、駆動マグネット１６の外周と筒部２６の内周との間には隙間ｇ２が、鏡筒１２の外周と第１駆動コイル２８および第１磁性片２８の各内周との間には隙間ｇ３がそれぞれ形成されている。このレンズ駆動装置１Ｆでは、各隙間ｇ１，ｇ２，ｇ３の間には、ｇ３＞ｇ２やｇ３＞ｇ１の関係が存在している。また、隙間ｇ１，ｇ２の間には、ｇ２＞ｇ１の関係を持たせるのが好ましい。
【００６７】
また、このレンズ駆動装置１Ｆは、携帯機器となる携帯電話機のケース表面５７とカバー４２の表面とが同一平面または略同一平面となるように配置されている。また、携帯電話機のケース裏面５８とレンズ１４との間に撮像素子４４や回路基板４５が配置される構成となっている。このため、レンズ駆動装置１Ｆの外周部分に、十分なスペースを取ることができ、このレンズ駆動装置１Ｆを携帯機器に組み込みやすくなる。このケース表面５７とケース裏面５８は、他の図では省略しているが、全てこの図８と同様な位置関係となっている。さらに、駆動マグネット１６は、他の実施の形態のものと同様にリング状（図７、図９参照）となっており、中央の孔１６ａを囲む部分がＮ極に着磁され、全体の外周部分がＳ極にそれぞれ単極着磁されている。なお、この着磁関係は、ＮＳが逆となるように着磁しても良い。
【００６８】
次に、第８の実施の形態に係るレンズ駆動装置１Ｇを、図１０に基づいて説明する。このレンズ駆動装置１Ｇは、レンズ駆動装置１と基本の考え方は同じであり、同一部材には同一符号を付し、その詳細説明を省略すると共に異なる点のみを主として説明することとする。
【００６９】
このレンズ駆動装置１Ｇは、第１から第７のレンズ駆動装置１，１Ａ〜１Ｆの構成とは逆の構成、すなわち、可動側とする移動体１０の側に円形に巻回されたリング状の駆動コイル６１とリング状の磁性片６２とを配置し、固定側となる固定体２４の側に第１駆動マグネット６３と第２駆動マグネット６４とを配置したものである。磁性片６２は、このレンズ駆動装置１Ｇでは駆動コイル６１のラジアル方向外径側に配置されているが、ラジアル方向内径側に配置しても良い。また、第１駆動マグネット６３と第２駆動マグネット６４は、共に図９に示すような着磁が施されたリング状のマグネットとされている。なお、両マグネット６３，６４を共にＮＳの着磁関係が逆になったものとしても良い。この場合、駆動コイル６１への通電の向きを、逆方向にすることとなる。この逆方向への通電は、他の実施の形態で、着磁関係を逆にした場合にも当てはまる。
【００７０】
次に、第９の実施の形態に係るレンズ駆動装置１Ｈを、図１１に基づいて説明する。このレンズ駆動装置１Ｈは、レンズ駆動装置１と基本構成は同じであり、同一部材には同一符号を付し、その詳細説明を省略すると共に異なる点のみを主として説明することとする。
【００７１】
このレンズ駆動装置１Ｈは、第８の実施の形態に係るレンズ駆動装置１Ｇの場合、移動体１０に１つの磁性片６２のみを配置していたのに対し、駆動コイル６１を挟むようにリング状の第２の磁性片６５を配置したものである。２つの磁性片６２，６５を配置しているため、位置保持力が強いものとなる。
【００７２】
次に、第１０の実施の形態に係るレンズ駆動装置１Ｊを、図１２に基づいて説明する。このレンズ駆動装置１Ｊは、レンズ駆動装置１やレンズ駆動装置１Ｈと基本構成は同じであり、同一部材には同一符号を付し、その詳細説明を省略すると共に異なる点のみを主として説明することとする。
【００７３】
このレンズ駆動装置１Ｊは、第９の実施の形態に係るレンズ駆動装置１Ｈの２つの磁性片６２，６５をリング状の駆動コイル６１の軸方向上下に配置して、磁性片６６，６７としたものである。この磁性片６６，６７は、共にリング状かつ平板状とされている。このため、両マグネット６３，６４との対向面積が大きくなり、位置保持力の面で有利となっている。
【００７４】
次に、第１１の実施の形態に係るレンズ駆動装置１Ｋを、図１３に基づいて説明する。このレンズ駆動装置１Ｋは、レンズ駆動装置１と基本の考え方は同じであり、同一部材には同一符号を付し、その詳細説明を省略すると共に異なる点のみを主として説明することとする。
【００７５】
このレンズ駆動装置１Ｋは、可動部となる移動体１０側に、平板状かつリング状の磁性片７１を配置し、固定部となる固定体２４側に磁性片７１を挟むようにリング状の第１駆動マグネット６３と円形に巻回されたリング状の第１駆動コイル７２の組と、リング状の第２駆動マグネット６４と円形に巻回されたリング状の第２駆動コイル７３の組とが配置されているものである。
【００７６】
このレンズ駆動装置１Ｋでは、第１駆動マグネット６３や第２駆動マグネット６４から磁性片７１に流れる磁束の量に対して、第１駆動コイル７２、第２駆動コイル７３によって差を生じさせて移動体１０を光軸１１の方向に動作させることとなる。
【００７７】
次に、第１２の実施の形態に係るレンズ駆動装置１Ｌを、図１４に基づいて説明する。このレンズ駆動装置１Ｌは、レンズ駆動装置１と基本構成は同じであり、同一部材には同一符号を付し、その詳細説明を省略すると共に異なる点のみを主として説明することとする。
【００７８】
このレンズ駆動装置１Ｌは、移動体１０、すなわち駆動マグネット１６の位置保持を、駆動マグネット１６の外周面と筒部２６の内周面との接触による摩擦力で行うものである。すなわち、このレンズ駆動装置１Ｌでは、隙間ｇ２は発生していないかもしくは粘性流体でその隙間ｇ２が埋められているものとなっている。摩擦力の調整のため、固体状または液体状の物質を筒部２６の内周面または駆動マグネット１６の外周面に塗布または充填するようにしても良い。
【００７９】
次に、第１３の実施の形態に係るレンズ駆動装置１Ｍを、図１５に基づいて説明する。このレンズ駆動装置１Ｍは、レンズ駆動装置１と基本構成は同じであり、同一部材には同一符号を付し、その詳細説明を省略すると共に異なる点のみを主として説明することとする。
【００８０】
このレンズ駆動装置１Ｍは、第１の実施の形態のレンズ駆動装置１の下側（奥側）の第１駆動コイル２８と第１磁性片３２を、リング状の固定マグネット７５に置き換えたものである。この例では、固定マグネット７５の着磁は、駆動マグネット１６とは逆となる着磁にし、両者が引き合う構成としているが、着磁関係を両者同一とし、両者が反発し合う構成としても良い。駆動マグネット１６，すなわち移動体１０の移動は、第２駆動コイル３０のオンオフまたは電流方向の切り換えによって行う。
【００８１】
なお、第１の実施の形態のレンズ駆動装置１の上側（手前側）の第２駆動コイル３０と第２磁性片３４を、リング状の固定マグネット７５に置き換えても良い。また、磁性片３２，３４の形状は、第４の実施の形態のようにコ字状としたり第５の実施の形態のようにＬ字状としても良い。さらに、リング状の固定マグネット７５を磁性片に置き換えて配置しても同様に駆動させることができる。磁性片としては、たとえばリング状の磁性片を用いれば良い。
【００８２】
次に、第１４の実施の形態に係るレンズ駆動装置１Ｎを、図１６に基づいて説明する。このレンズ駆動装置１Ｎは、レンズ駆動装置１と基本の考え方は同じであり、同一部材には同一符号を付し、その詳細説明を省略すると共に異なる点のみを主として説明することとする。
【００８３】
このレンズ駆動装置１Ｎは、軸方向にＮＳ着磁された駆動マグネット８１が移動体１０に固定されているものである。駆動マグネット８１の磁束は、光軸１１と平行となる方向に飛び出し、第１駆動コイル２８の部分では、光軸１１と直角方向の流れとなり通過していく。そして、リング状の第１磁性片３２、リング状の第２磁性片３４を通過した後、第２駆動コイル３０の部分を光軸１１と直角方向に通り抜け、その後、光軸１１と平行の流れとなり駆動マグネット８１に戻ってくる。
【００８４】
このように、駆動マグネット８１の磁束は、第１駆動コイル２８と第２駆動コイル３０の両者で光軸１１に対して垂直となる方向となる必要があり、両コイル２８，３０は、駆動マグネット８１の斜め下方と斜め上方に配置している。この結果、隙間ｇ２，ｇ３はきわめて大きくなる。なお、駆動マグネット８１の着磁は、図１６とは上下逆の関係となるＮＳ着磁としても良い。
【００８５】
次に、本発明の実施の形態には入らないが、各実施の形態をさらに簡略化したレンズ駆動装置１Ｐを、参考として、図１７に基づいて説明する。このレンズ駆動装置１Ｐは、レンズ駆動装置１と基本構成は同じであり、同一部材には同一符号を付し、その詳細説明を省略すると共に異なる点のみを主として説明することとする。また、このレンズ駆動装置１Ｐは、各実施の形態において、手で持って振るようにもできることを示す原理を現している。
【００８６】
このレンズ駆動装置１Ｐは、図１に示すレンズ駆動装置１から第１駆動コイル２８および第２駆動コイル３０を削除した構成と略同等に構成されている。すなわち、レンズ１４を備えた移動体１０と、この移動体１０の光軸１１の方向への移動を案内するとともに、移動体１０を保持する固定体２４とを有し、移動体１０は、レンズ１４とともに、光軸１１の方向に移動可能なマグネット１６Ａを有し、固定体２４は、マグネット１６Ａと磁気吸着して移動体１０を位置保持するための第１、第２磁性片３２，３４を有している。移動体１０は、電気駆動ではなく、レンズ駆動装置１Ｐを振る等の機械的加振により移動でき、図で上下の移動位置に配置されたリング状かつ平板状の第１、第２磁性片３２，３４に、マグネット１６Ａが吸着されて、位置保持できるようになっている。
【００８７】
このレンズ駆動装置１Ｐでは、さらに、カバー４２の代わりにカバー部材９１を設け、その円形の中央孔９２の部分に小径カバーガラス９３を嵌合配置している。このような構造のカバー部材９１（小径カバーガラス９３を有するもの）は、上述した他のすべてのレンズ駆動装置にも適用することができる。また、このレンズ駆動装置１Ｐでは、駆動マグネット１６と同様に径方向にＮＳ着磁されたマグネット１６Ａを使用しているが、レンズ駆動装置１Ｎに使用されるような光軸１１方向にＮＳ着磁された駆動マグネット８１を使用しても良い。
【００８８】
なお、移動体１０のマグネット１６Ａの代わりに磁性片を設け、固定体２４の第１、第２磁性片３２，３４の代わりにマグネットを設ける構成、すなわちレンズ駆動装置１Ｐの磁性片がマグネットに、マグネットが磁性片となるように構成しても良い。また、移動体１０に第１、第２磁性片３２，３０を間を空けて設け、固定体２４にマグネットを第１、第２磁性片３２，３０の中間にくるように設ける構成、すなわちレンズ駆動装置１Ｐとは、磁性片とマグネットの配置関係が逆となるように構成しても良い。
【００８９】
また、このレンズ駆動装置１Ｐは、上述したように、各実施の形態において、手で持って振るようにもできることを示す原理を現しており、他の各実施の形態においても、このレンズ駆動装置１Ｐと同様な原理で、各レンズ駆動装置の移動体１０を移動させることができる。すなわち、各レンズ駆動装置に備えられた第１、第２駆動コイル２８，３０の一方または両者が断線する等して、動作しなくなったとしても、レンズ駆動装置を搭載したカメラ付き携帯機器を手に持って振るというような、遠心力、慣性力、等々何らかの力を生じさせることによりレンズ１４（移動体１０）を移動させることができる。また、移動体１０は、移動位置において、駆動マグネット１６と磁性片３２，３４との間の磁気的吸引力で、その位置を保持することができる。したがって、コイル断線（第１駆動コイル２８や第２駆動コイル３０や他のコイル線の断線）や電池の消耗等により、電気駆動が行えなくなっても、機械的駆動により、移動体１０を移動させ、レンズ１４の位置を切り替えることができ、しかも、移動体１０を移動させた位置で位置保持が可能なため、使用不能という最悪な事態には至らない。なお、手で振る場合を考慮すると、移動体１０側に駆動マグネット１６やマグネット１６Ａを配置する構成が好ましいが、移動体１０側に駆動コイルを配置する場合でも、利用できる。
【００９０】
上述した各実施の形態のレンズ駆動装置１，１Ａ〜１Ｎは、本発明の好適な実施の形態の例であるが、本発明の要旨を逸脱しない範囲で種々変更実施可能である。たとえば、本発明は、通常撮影とマクロ撮影との切り換えに限らず、レンズ１４の位置を二つまたは三つ以上の位置に切り換える必要があるものすべてに適用可能である。具体的には、不使用時に鏡筒をカメラまたは携帯機器などの本体内に収納する沈胴式カメラの沈胴機構として、あるいは、焦点距離を短焦点位置と長焦点位置に切り換えることができるカメラの焦点距離切り換え機構に適用することもできる。
【００９１】
また、レンズ１４としては、２枚のレンズ１４ａ，１４ｂを有するものとしたが、１つのみのレンズとしたり、３枚以上のレンズを組み合わせたものとしても良い。また、各レンズ１４ａ，１４ｂを非球面レンズとしたが、球面ガラスレンズとしたり、非球面ガラスレンズとしても良い。
【００９２】
また、移動体１０と固定体２４をそれぞれ１つとした例を示したが、移動体１０と固定体２４を光軸１１の方向に２つまたは３つ以上重ねるように配置したものとしても良い。また、固定体２４は１つとし、移動体１０や固定体側の駆動コイル等を複数組設けるようにしても良い。
【００９３】
また、上述の各実施の形態や手で持って振る場合の原理説明では、レンズ駆動装置１，１Ａ〜１Ｎやレンズ駆動装置１Ｐをカメラ付き携帯電話機のカメラ部分の機構として組み込んだ例を示したが、これらのレンズ駆動装置や薄型カメラは、モバイルコンピュータ、ＰＤＡ等の他の携帯機器に使用したり、監視カメラ、医療用カメラ等他のカメラ装置や、自動車、テレビ等の電子機器にも組み込むことができる。
【図面の簡単な説明】
【００９４】
【図１】本発明の第１の実施の形態に係るレンズ駆動装置を示す断面図である。
【図２】本発明の第２の実施の形態に係るレンズ駆動装置を示す断面図である。
【図３】本発明の第３の実施の形態に係るレンズ駆動装置を示す断面図である。
【図４】本発明の第４の実施の形態に係るレンズ駆動装置を示す断面図である。
【図５】本発明の第５の実施の形態に係るレンズ駆動装置を示す断面図である。
【図６】本発明に第６の実施の形態に係るレンズ駆動装置を示す断面図である。
【図７】図１のレンズ駆動装置の分解斜視図である。
【図８】本発明の第７の実施の形態に係るレンズ駆動装置を示す断面図である。
【図９】各レンズ駆動装置で使用される駆動マグネットの平面図である。
【図１０】本発明の第８の実施の形態に係るレンズ駆動装置を示す断面図である。
【図１１】本発明の第９の実施の形態に係るレンズ駆動装置を示す断面図である。
【図１２】本発明の第１０の実施の形態に係るレンズ駆動装置を示す断面図である。
【図１３】本発明の第１１の実施の形態に係るレンズ駆動装置を示す断面図である。
【図１４】本発明の第１２の実施の形態に係るレンズ駆動装置を示す断面図である。
【図１５】本発明の第１３の実施の形態に係るレンズ駆動装置を示す断面図である。
【図１６】本発明の第１４の実施の形態に係るレンズ駆動装置を示す断面図である。
【図１７】本発明の各実施の形態を簡略化したレンズ駆動装置を示すと共に、各実施の形態のレンズ駆動装置の良さを説明するための図である。
【符号の説明】
【００９５】
１，１Ａ〜１Ｐ  レンズ駆動装置
１０  移動体
１２  鏡筒
１４  レンズ
１４ａ  被写体側レンズ
１４ｂ  カメラボディ側レンズ
１４ｃ  間隔保持部材
１４ｄ  位置固定部材
１６  駆動マグネット
１６ａ  孔
１８  入射窓
２０  前端面
２４  固定体
２６  筒部
２８  第１駆動コイル
３０  第２駆動コイル
３２  第１磁性片
３４  第２磁性片
３６  緩衝材
４２  カバー
４３  フィルタ
４４  撮像素子
４５  回路基板
４６  後端部材
４７  台座部
５１  第３の磁性片
５２，５３  枠部
５４，５５  接着剤
５７  ケース表面
５８  ケース裏面
６１  駆動コイル
６２  磁性片
６３  第１駆動マグネット
６４  第２駆動マグネット
ｇ１，ｇ２，ｇ３  隙間
【図１】
2005037865.tif 000003
【図２】
2005037865.tif 000004
【図３】
2005037865.tif 000005
【図４】
2005037865.tif 000006
【図５】
2005037865.tif 000007
【図６】
2005037865.tif 000008
【図７】
2005037865.tif 000009
【図８】
2005037865.tif 000010
【図９】
2005037865.tif 000011
【図１０】
2005037865.tif 000012
【図１１】
2005037865.tif 000013
【図１２】
2005037865.tif 000014
【図１３】
2005037865.tif 000015
【図１４】
2005037865.tif 000016
【図１５】
2005037865.tif 000017
【図１６】
2005037865.tif 000018
【図１７】
2005037865.tif 000019